(57)【要約】【課題】  従来、表示端末の故障や表示モードの手動切り替えで広告コンテンツが正常に表示できなくても、その時間を課金対象としてしまって適切な課金ができないという問題点があり、コンテンツを正常に表示した時間のみを記録して、適切な課金を行うことができるコンテンツ表示装置を提供する。【解決手段】  表示制御装置の動作確認手段が、表示端末にコンテンツの出力を開始した時と、当該コンテンツの出力を終了した時に、出力先の表示端末に表示モードの確認要求を出力し、ロギング手段が、表示モードの確認要求に応じて表示端末から入力された応答が、出力開始時及び出力終了時の両方とも「正常」を示すものであった場合に、コンテンツの表示時間を表示ログとして記憶し、課金計算手段が、表示ログに記憶された表示時間を合計して、当該合計時間に基づいて課金金額を算出する表示制御装置であるコンテンツ表示装置である。【選択図】        図１
2006085522.tif 000002
【特許請求の範囲】
【請求項１】
ネットワークを介して受信したコンテンツと前記コンテンツの表示スケジュールを記憶しておき、前記表示スケジュールに従って前記コンテンツを出力する表示制御装置と、
複数の表示モードを備え、特定の表示モードが設定されている場合に、前記表示制御装置から入力されたコンテンツを表示する表示端末とを有するコンテンツ表示装置であって、
前記表示制御装置が、表示端末にコンテンツの出力を開始した時と、前記コンテンツの出力を終了した時に、前記出力先の表示端末に表示モードの確認要求を出力する動作確認手段と、
前記表示モードの確認要求に応じて前記表示端末から入力された応答が、前記出力開始時及び前記出力終了時の両方とも「正常」を示すものであった場合に、前記コンテンツの表示時間を表示ログとして記憶し、前記出力開始時と前記出力終了時の応答の少なくとも一方が「正常」を示すものでなかった場合に、前記コンテンツの表示時間を表示ログに記憶しないロギング手段と、
前記表示ログに記憶された表示時間を合計して、当該合計時間に基づいて課金金額を算出する課金計算手段とを備えた表示制御装置であり、
前記表示端末が、前記表示制御装置から表示モードの確認要求が入力された場合に、設定されている表示モードを読みとって、前記設定されている表示モードがコンテンツの表示可能な前記特定の表示モードである場合に、「正常」を示す応答を出力する表示端末であることを特徴とするコンテンツ表示装置。
【発明の詳細な説明】
【技術分野】
【０００１】
本発明は、コンピュータネットワークを利用して配信される広告等のコンテンツを表示するコンテンツ表示装置に係り、特に広告を実際に表示した表示実績に基づいて適切な課金を行うことができるコンテンツ表示装置に関する。
【背景技術】
【０００２】
従来、銀行等の店舗では、来店客に金利情報やニュース、広告等を提供するコンテンツ表示装置が設けられている。コンテンツとしては、動画、静止画、文字情報、グラフィック表示、ビデオ映像等がある。
【０００３】
コンテンツ表示装置が用いられるコンテンツ表示システムについて図１１を用いて説明する。図１１は、一般的コンテンツ表示システムの概略説明図である。
図１１に示すように、コンテンツ表示システムは、コンテンツを配信するセンタに設けられたコンテンツ配信装置１と、コンテンツを表示する店舗等に設けられ、ネットワーク５を介してコンテンツ配信装置１に接続されたコンテンツ表示装置２とから構成されている。
【０００４】
また、コンテンツ表示装置２は、ネットワークを介してコンテンツ配信装置１から配信されるコンテンツを受信して記憶する表示制御装置３と、信号ケーブルを介して表示制御装置３に接続され、表示制御装置３から出力されたコンテンツを受信して表示する表示端末４とから構成されている。尚、コンテンツ表示装置２としては、表示制御装置３に、信号ケーブルを介して複数の表示端末４が接続されている構成としてもよい。尚、信号ケーブルとしては、映像信号を伝送する映像信号ケーブル（例えばＲＧＢ）と、制御に伴うデータを伝送するデータケーブル（例えばＲＳ２３２Ｃ）とが設けられている。
【０００５】
そして、上記コンテンツ表示装置では、表示制御装置３が、ネットワークを介して受信したコンテンツデータ及び表示スケジュール（スケジュール）を記憶しておき、スケジュールに従って、該当するコンテンツデータを表示端末４に送信し、表示端末４では、受信したコンテンツを表示するようになっている。
【０００６】
尚、表示端末４は、表示制御装置３から送信されるコンテンツを表示する表示モードの他に、外部端子を介して入力される一般テレビ放送やビデオ映像等を表示する表示モードを備えている。そして、表示端末４のリモコンや入力部（図示せず）からの操作により、手動で表示モードを切り替えることができるものである。
【０００７】
また、従来のコンテンツ表示装置では、コンテンツとして広告を表示する場合には、表示制御装置３が、スケジュールに従って表示端末４にコンテンツデータを出力すると、スケジュールに記憶されている当該コンテンツの表示時間を表示実績として記録し、広告主に対して課金する場合には、記録されたデータを実績データとして提示して課金を行うようになっていた。
【０００８】
しかし、表示端末４側で何らかの故障が発生した場合には、表示制御装置３からコンテンツデータを出力しても、実際にはコンテンツを表示できず、広告表示としては機能していない。また、表示端末４の表示モードが、手動で、コンテンツを表示する表示モード以外の表示モードに切り替えられることがあり、この場合にも表示されるべきコンテンツは表示されず、一般テレビ放送等の別の画面が表示されるものである。
【０００９】
尚、従来のネットワークを介して情報表示を行うシステムとしては、各地に設置される表示装置と、この表示装置にリモートアクセス可能な集中管理センタとからなり、表示装置における異常発生の報知、表示装置毎の表示状況の確認等を一括管理するシステムがあった（特許文献１参照）。
【００１０】
【特許文献１】特開２００２−３４０２２号公報（第４−８頁）
【発明の開示】
【発明が解決しようとする課題】
【００１１】
しかしながら、従来のコンテンツ表示装置では、表示端末の故障や表示モードの手動切り替えにより、表示制御装置から送信された広告コンテンツが表示端末で表示できなかった場合でも、表示制御装置においてはスケジュール通り表示されたものとして記録されるので、実際に表示した時間よりも多い時間を課金対象としてしまうことがあり、適切な課金ができない恐れがあるという問題点があった。
【００１２】
本発明は上記実情に鑑みて為されたもので、広告コンテンツを正常に表示した時間のみを課金対象として、適切な課金を行うことができるコンテンツ表示装置を提供することを目的とする。
【課題を解決するための手段】
【００１３】
上記従来例の問題点を解決するための本発明は、ネットワークを介して受信したコンテンツとコンテンツの表示スケジュールを記憶しておき、表示スケジュールに従ってコンテンツを出力する表示制御装置と、複数の表示モードを備え、特定の表示モードが設定されている場合に、表示制御装置から入力されたコンテンツを表示する表示端末とを有するコンテンツ表示装置であって、表示制御装置が、表示端末にコンテンツの出力を開始した時と、当該コンテンツの出力を終了した時に、出力先の表示端末に表示モードの確認要求を出力する動作確認手段と、表示モードの確認要求に応じて表示端末から入力された応答が、出力開始時及び出力終了時の両方とも「正常」を示すものであった場合に、コンテンツの表示時間を表示ログとして記憶し、出力開始時と出力終了時の応答の少なくとも一方が「正常」を示すものでなかった場合に、コンテンツの表示時間を表示ログに記憶しないロギング手段と、表示ログに記憶された表示時間を合計して、当該合計時間に基づいて課金金額を算出する課金計算手段とを備えた表示制御装置であり、表示端末が、表示制御装置から表示モードの確認要求が入力された場合に、設定されている表示モードを読みとって、設定されている表示モードがコンテンツの表示可能な特定の表示モードである場合に、「正常」を示す応答を出力する表示端末であるコンテンツ表示装置としており、コンテンツの出力開始時と出力終了時の両方とも正常に動作していた場合以外は、表示時間を表示ログに記憶しないようにしているので、表示端末に障害が発生した場合や手動で表示モードが切り替えられた場合には、表示時間を表示ログに記憶せずに、課金対象から除外することができ、広告主に対して正常に広告表示を行った時間に基づいて適正に課金するためのデータを生成することができる。
【発明の効果】
【００１４】
本発明のコンテンツ表示装置は、表示制御装置が、表示端末にコンテンツの出力を開始した時と、当該コンテンツの出力を終了した時に、出力先の表示端末に表示モードの確認要求を出力し、表示モードの確認要求に応じて表示端末から入力された応答が、出力開始時及び出力終了時の両方とも「正常」を示すものであった場合に、コンテンツの表示時間を表示ログとして記憶し、表示ログに記憶された表示時間を合計して、当該合計時間に基づいて課金金額を算出する表示制御装置であるコンテンツ表示装置としているので、コンテンツの出力開始時と出力終了時の両方とも正常に動作していた場合以外は、表示時間を表示ログに記憶しないようにして、表示端末に障害が発生した場合や手動で表示モードが切り替えられた場合には、表示時間を表示ログに記憶せずに、課金対象から除外することができ、広告主に対して正常に広告表示を行った時間に基づいて適正に課金するためのデータを生成することができる効果がある。
【発明を実施するための最良の形態】
【００１５】
本発明の実施の形態について図面を参照しながら説明する。
本発明に係るコンテンツ表示装置は、表示制御装置が、広告コンテンツ表示開始時及び表示終了時に、表示端末の動作モードを確認する要求を出力し、２回とも正常に動作確認ができた場合のみ、当該広告コンテンツの表示時間を表示ログに記憶し、それ以外の場合には表示時間を表示ログに記憶しないでおき、課金時には、当該表示ログに記憶された表示時間を広告主毎に合計して課金対象の表示時間とするものであり、正常に動作確認ができなかった場合の表示時間を課金対象から除外し、正常に表示された時間のみを課金対象として、広告表示に対して適切な課金を行うことができるものである。
【００１６】
本発明の実施の形態に係るコンテンツ表示装置について図１を用いて説明する。図１は、本発明の実施の形態に係るコンテンツ表示装置の構成ブロック図である。尚、本コンテンツ表示装置は、図１１に示したコンテンツ表示システムにおいて用いられるものである。
図１に示すように、本実施の形態のコンテンツ表示装置（本装置）３は、受信部３１と、制御部３２と、記憶部３３と、ＲＳ２３２Ｃインタフェース（ＲＳ２３２ＣＩ／Ｆ）３４及びＲＧＢインタフェース（ＲＧＢＩ／Ｆ）３５とから構成されている。
【００１７】
各構成部分について具体的に説明する。
受信部３１は、コンテンツ配信装置１からネットワーク５を介して送信されるコンテンツ及び表示スケジュールを受信するものである。
記憶部３３は、制御部における処理プログラムを記憶するものである。また、記憶部３３は、受信したコンテンツ及び表示スケジュールを記憶すると共に、本装置の特徴として、広告コンテンツの表示状況を記録する広告表示ログテーブルと、広告主に対する課金の対象となる広告コンテンツの表示実績を記憶する課金データを記憶しているものである。
また、ＲＳ２３２ＣＩ／Ｆ３４は、データケーブルであるＲＳ２３２Ｃを介して表示端末４とのデータ送受信を行うものであり、ＲＧＢＩ／Ｆ３５は、映像信号ケーブルであるＲＧＢを介して表示端末４に映像信号を送出するものである。尚、ＲＳ２３２ＣＩ／Ｆ３４の代わりにＵＳＢＩ／Ｆを備えて、ＵＳＢケーブルを介して表示端末４との接続を行うようにしてもよい。
【００１８】
制御部３２は、コンテンツ表示装置２全体の制御を行うＣＰＵであり、特に、本装置では、各広告コンテンツの表示状況を広告表示ログテーブルに記憶し、広告表示ログテーブルに基づいて課金データを生成するものである。制御部３２には、表示端末４が正常に動作しているかどうかを確認する動作確認手段と、広告コンテンツを実際に表示した時間を記憶部の広告表示ログテーブルに記録するロギング手段と、広告表示ログテーブルに基づいて課金データを生成する課金計算手段とが設けられている。また、制御部３２には、処理プログラムを展開したり、処理の途中で一時的にデータを保持するメモリ（図示せず）が設けられている。制御部３２の各手段は、記憶部３３に記憶されている処理プログラムをメモリに展開し、制御部３２によって実行されることにより実現されるものである。
【００１９】
本装置の制御部３２の特徴は、表示するコンテンツについて、当該コンテンツを表示端末４に出力した時（表示開始時）と、当該コンテンツの出力を終了した時（表示終了時）の２度、表示端末４に対して表示モードチェック要求を出力し、２度とも正常な応答があった場合のみ、広告表示ログテーブルに表示時間を記憶する点であり、表示開始時又は表示終了時のいずれか一方でも正常な応答が得られなかった場合には、広告表示ログテーブルに記憶する表示時間を「０」とする点であり、これにより、正常に表示されなかった時間は、課金手段によって算出される課金対象としての表示時間の合計に加算されず、課金対象から除外されるものである。制御部３２の動作については後で詳細に説明する。尚、上記「表示開始時」は、請求項における「出力開始時」に相当し、上記「表示終了時」は請求項における「出力終了時」に相当している。
【００２０】
次に、本装置の表示端末４の構成について図２を用いて説明する。図２は、本装置の表示端末４の構成を示す構成ブロック図である。
図２に示すように、本装置の表示端末４は、ＲＳ２３２Ｃインタフェース（ＲＳ２３２ＣＩ／Ｆ）４１と、ＲＧＢインタフェース（ＲＧＢＩ／Ｆ）４２と、制御部４３と、表示部４４と、入力部４５と、外部データ入力部４６とが設けられている。
【００２１】
各構成部分について説明する。
ＲＳ２３２ＣＩ／Ｆ４１は、ＲＳ２３２Ｃケーブルを介して表示制御装置３とのデータ送受信を行うものであり、表示制御装置３から送信された表示モードチェック要求（後述する）を受信して制御部４３に出力し、制御部４３からの表示モード応答を表示制御装置３に送信するものである。尚、ＲＳ２３２ＣＩ／Ｆ４１の代わりにＵＳＢＩ／Ｆを備えてもよい。
ＲＧＢＩ／Ｆ４２は、ＲＧＢケーブルを介して表示制御装置３から送信されたコンテンツ等の映像信号を受信するものである。
【００２２】
外部データ入力部４６は、外部端子として一般テレビ放送の入力端子やビデオデータの入力端子を備えており、コンテンツ以外の表示データを入力するものである。
表示部４４は、制御部４３から出力された表示データを表示するものであり、コンテンツ又は一般テレビ放送やビデオ等の外部データを表示するものである。
また、入力部４５は、制御部４３に記憶されている表示モードを切り替える切り替えデータを手動で入力するものである。入力部４５は、無線で接続されたリモコンであってもよい。
【００２３】
制御部４３は、内部に表示モードを記憶するメモリを備え、メモリに記憶されている表示モードに応じて、表示部４４に入力されるデータを切り替えて出力するものである。
表示モードとしては、コンテンツを表示する表示モード（以下、「コンテンツ表示モード」とする）と、コンテンツ以外のデータを表示する表示モード（以下、「コンテンツ表示不可モード」とする）があり、いずれか一方が設定されている。コンテンツ表示モードとしては、例えば「RGB」があり、コンテンツ表示不可モードとしては、例えば「VIDEO」がある。
【００２４】
そして、制御部４３のメモリには、デフォルトとして「コンテンツ表示モード」が記憶されており、制御部４３は、通常はＲＧＢＩ／Ｆ４２から入力されるコンテンツデータを表示部４４に出力するが、入力部４５から切り替えデータが入力されると、メモリに記憶されている表示モードを「コンテンツ表示不可モード」で更新し、表示部４４に出力するデータを外部データ入力部４６からのデータ（外部データ）に切り替えるものである。
【００２５】
また、本装置の特徴として、制御部４３は、表示制御装置３からの表示モードチェック要求が入力されると、メモリに記憶されている表示モードを読みとって、ＲＳ２３２ＣＩ／Ｆ４１を介して「表示モード応答」を表示制御装置３宛に出力するものである。具体的には、記憶されている表示モードが「コンテンツ表示モード」であれば、「ROK」のコマンドを表示モード応答として出力し、表示モードが「コンテンツ表示不可モード」であれば「RNG」のコマンドを出力する。尚、上記「ROK」が、請求項に記載した「正常を示す」応答に相当している。表示モードチェックの動作については後で説明する。
【００２６】
次に、本装置の表示制御装置３の記憶部３３に記憶されている表示スケジュールについて図３を用いて説明する。図３は、表示制御装置３に記憶されている表示スケジュールの模式説明図である。
図３に示すように、表示スケジュールは、スケジュール名に対応して、複数の番組名（コンテンツ名）と、それぞれの番組の表示時間が記憶されているものである。例えば、スケジュール１では、一般コンテンツ（１）、広告コンテンツＡ、一般コンテンツ（２）、…の順で表示するように規定されている。番組名の代わりに各コンテンツの識別番号を記憶しておいてもよい。
【００２７】
そして、図示は省略するが、表示制御装置３は、表示スケジュールと共にコンテンツ配信装置１から、時刻と表示スケジュールとを対応付けたデータ、つまり、何時からどのスケジュールに従って表示するかを規定したデータ（表示プログラム）を受信して記憶しておき、記憶部３３に記憶されているコンテンツを表示プログラム及び表示スケジュール（以下、単に「表示スケジュール」とする）に従って、表示端末４にコンテンツを順次出力するようになっている。
【００２８】
次に、表示制御装置３の記憶部３３に記憶されている広告表示ログテーブルについて図４を用いて説明する。図４は、表示制御装置３に記憶されている広告表示ログテーブルの模式説明図である。
図４に示すように、本装置の広告表示ログテーブルは、広告コンテンツ毎に、表示を開始した日時（表示開始日時）に対応して、表示モードチェックの結果（図では「チェック」と記載）と、表示時間とが記憶されているものである。
【００２９】
具体的に説明すると、広告コンテンツＡは、２００４年７月３０日の９時００分２０秒から表示開始され、表示開始時の表示モードチェック（開始時チェック）は「ＯＫ（図では○）」であり、表示終了時の表示モードチェック（終了時チェック）は「ＯＫ」であり、表示時間が２０秒であったことを示している。このように、本装置の広告表示ログテーブルでは、開始時チェックと終了時チェックの両方とも「ＯＫ」であった場合に、その表示開始から表示終了までの表示枠に対応する表示時間を記憶しているものである。
【００３０】
尚、上記スケジュールに従って表示する場合のように、複数のコンテンツが連続して表示されるときには、「表示開始時」とは、当該コンテンツが表示端末４に出力された際のことであり、「表示終了時」とは、当該コンテンツの出力が終了して次のコンテンツが表示端末４に出力された際のことである。
【００３１】
また、２００４年７月３０日の１３時００分３０秒から表示開始された際には、開始時チェックが「ＮＧ（図では×）」であり、表示時間は０秒となっている。本装置では、開始時チェック又は終了時チェックのいずれか一方が「ＮＧ」の場合には表示時間を「０」とするものである。
【００３２】
そして、上記広告表示ログテーブルは、制御部３２の動作確認手段からのデータに基づいて、ロギング手段が書き込みを行うようになっている。広告表示ログテーブルへの書き込み動作については後で説明する。尚、ここでは広告コンテンツについてのログテーブルのみを示したが、広告以外の一般コンテンツも含めた全てのコンテンツについて、図４と同様のログを記憶するようにしてもよく、このようにすると、いつ、異常が発生したかを精度よく記録でき、ログデータを装置の保守管理に利用することができるものである。
【００３３】
次に、本装置の動作について図１、図２、図４及び図５を用いて説明する。図５は、本装置の表示制御装置３と表示端末４との間の動作確認のコマンドチャート図である。
図５に示すように、表示制御装置３の制御部３２は、表示スケジュールに従って、コンテンツデータを表示端末４に出力する。ここでは、まず、一般コンテンツ（１）を出力する。その際、制御部３２の動作確認手段は、動作確認要求として、「表示モードチェック要求（CH1）」を表示端末４に出力する。
【００３４】
表示モードチェック要求を受信した表示端末４の制御部４３の表示モード応答手段は、メモリ内に記憶されている表示モードを読みとって、記憶されている表示モードが「コンテンツ表示モード」であれば、表示制御装置３に「ROK」を出力する。
【００３５】
表示制御装置３の制御部３２の動作確認手段は、「ROK」を受信すると、「ＯＫ」のデータをロギング手段に出力する。ロギング手段は、「ＯＫ」を受け取ると、表示モードチェックの結果として、広告表示ログテーブルの当該コンテンツの開始時チェックに「ＯＫ」を記憶する。尚、広告コンテンツの表示に対する課金データ生成のみを目的とする場合には、一般コンテンツのログデータは広告表示ログテーブルに記憶しなくてもよい。
【００３６】
そして、一般コンテンツ（１）の表示時間の２０秒が経過すると、次に、制御部３２は、広告コンテンツＡのデータを表示端末４に出力し、表示モードチェック要求を出力する。
そして、表示制御装置３の制御部３２は、表示端末４から「ROK」を受信すると、ロギング手段が、広告表示ログテーブルの「広告コンテンツＡ」に対応する表示モードチェックの結果として、開始時チェックに「ＯＫ」を記憶する。
【００３７】
そして、表示制御装置３の制御部３２は、広告コンテンツＡの表示時間の３０秒が経過すると、広告コンテンツＡの出力を終了して、次のコンテンツデータを表示端末４に出力し、表示モードチェック要求を出力する。そして、表示端末４から「ROK」を受信すると、ロギング手段が、広告表示ログテーブルの「広告コンテンツＡ」に対応する終了時チェックに「ＯＫ」を記憶し、更に、スケジュールに記憶されている表示時間に基づいて、表示時間として３０秒を記憶する。このようにして広告表示ログテーブルに表示時間の記憶が行われるものである。
【００３８】
以下同様にして、表示制御装置３の動作確認手段が出力する表示モードチェック要求「CH1」に対応して、表示開始時及び表示終了時（次のコンテンツの表示開始時）に両方とも「ROK」を受信すると、スケジュールに記憶されている表示時間に従って、広告表示ログテーブルに表示時間が記憶されるようになっている。図５の例では、広告コンテンツＡ（図では「広告Ａ」）は３０秒、広告コンテンツＢは４０秒、広告コンテンツＣは２０秒の表示時間がロギングされるものである。
【００３９】
次に、表示端末４において障害が発生した場合の動作確認の例を図６を用いて説明する。図６は、表示端末４において障害が発生した場合の動作確認の例を示すコマンドチャート図である。
図６に示すように、広告コンテンツＡの表示開始時に、表示制御装置３の制御部３２から表示モードチェック要求を出力したが、表示端末４が何らかの障害で応答不能になっていると、表示端末４からの応答は出力されない。表示制御装置３の制御部３２は、予め設定されている設定時間が過ぎても応答がない場合には、タイムアウト発生として、再度表示端末４に表示モードチェック要求を出力する。
【００４０】
そして、予め設定されている数回のリトライを実施しても応答がない場合には、「障害発生」と判断してアラームを発生したりメッセージ表示を行って周囲に報知して、広告表示ログテーブルの広告コンテンツＡの開始時チェックに「ＮＧ」を記憶する。この場合、広告コンテンツＡに対応する表示時間としては「０」を記憶するものである。
【００４１】
障害修理対応が為された後に表示制御装置３から表示端末４に出力された広告コンテンツＰ、広告コンテンツＲについては、開始時及び終了時のチェックに対応して「ROK」が応答されているので、広告表示ログテーブルの表示時間に、スケジュールに基づいた表示時間としてそれぞれ３５秒、２０秒が記憶される。
【００４２】
次に、表示端末４の表示モードが「コンテンツ表示不可モード」であった場合について図７を用いて説明する。図７は、表示端末４からの応答が「コンテンツ表示不可モード」であった場合の例を示すコマンドチャート図である。
図７に示すように、広告コンテンツＡの表示開始前に表示端末４の表示モードが手動で「コンテンツ表示不可モード」に切り替えられていると、広告コンテンツＡの表示開始時に、表示制御装置３の制御部３２から出力した表示モードチェック要求に対して、表示端末４からの表示モード応答として「コンテンツ表示不可モード」を示す「RNG」の応答がある。すると、表示制御装置３の制御部３２のロギング手段は、応答が正常ではないとして、広告表示ログテーブルの開始時チェックに「ＮＧ」を記憶し、広告コンテンツＡに対応する表示時間としては「０」を記憶する。
【００４３】
そして、広告コンテンツＢの表示開始前に再び手動で表示端末４の表示モードが「コンテンツ表示モード」に切り替えられると、広告コンテンツＢについては、表示開始時及び表示終了時に、表示モード応答として「コンテンツ表示モード」を示す「ROK」を受信するので、広告表示ログテーブルに表示時間４０秒が記憶される。
【００４４】
しかし、広告コンテンツＣ表示中に、再度コンテンツ表示不可モードに切り替えられた場合には、広告コンテンツＣの表示終了時（すなわち一般コンテンツ（３）表示開始時）の表示モード応答が「RNG」となり、表示制御装置３の制御部３２のロギング手段は広告コンテンツＣに対応する終了時チェックに「ＮＧ」を記憶し、更に、表示時間として「０」を記憶する。
【００４５】
図５〜図７に示したように、本装置では、コンテンツの表示開始時と、表示終了時の２回、表示制御装置３から表示モードチェック要求を出力して、表示端末４の動作状態又は表示モードを確認し、２度とも正常であった場合のみ広告表示ログテーブルに表示時間を記憶するようにしているので、スケジュールにおいて規定された表示時間の間、継続して正常であった場合にのみ広告表示ログテーブルに表示時間を記憶でき、それに基づいて課金データを生成すれば、広告主に実際に広告表示を行った時間に従って適正な課金が行えるものである。
【００４６】
次に、本装置の表示制御装置３の制御部３２におけるロギング処理について図８を用いて説明する。図８は、表示制御装置３の制御部３２におけるロギング処理を示すフローチャート図である。尚、図８においては、説明を簡単にするために、コンテンツは全て広告コンテンツであるものとして説明する。表示スケジュールに一般コンテンツが含まれていて、一般コンテンツはログをとらない場合には、以下に示す処理の内、一般コンテンツに対応する開始時チェック、終了時チェック、表示時間のデータ書き込みを省略すればよい。
【００４７】
まず、制御部３２は、ある表示スケジュールに従ってコンテンツを出力する際には、当該スケジュールを記憶部３３から読み込んで、メモリに展開しておく。そして、図８に示すように、制御部３２は、読み込んだスケジュールに従って表示端末４にコンテンツを出力し（１００）、広告表示ログテーブルに当該コンテンツに対応して表示開始時刻を記憶し（１０２）、メモリに記憶されているリトライ回数をリセットしてから表示端末４に対して表示モードチェック要求を出力する（１０４）。
【００４８】
そして、制御部３２は、応答が正常であるかどうか（ＯＫかどうか）を判断し（１０６）、表示端末４からの表示モード応答として「ROK」を受信すると、制御部３２は、「ＯＫ」であるとして、表示スケジュールを参照して、処理１００で出力したコンテンツの１つ前に出力したコンテンツ（前のコンテンツ）を特定し、広告表示ログテーブルにおいて、前のコンテンツの最新の表示に対応して、終了時チェックに「ＯＫ」を記憶する（１１０）。
【００４９】
更に、制御部３２は、１つ前のコンテンツの最新の表示に対応する表示時間にスケジュールで規定されている表示時間を記憶する（１１２）。
そして、制御部３２は、処理１００で出力したコンテンツの最新の表示に対応する開始時チェックに「ＯＫ」を記憶する（１１４）。
【００５０】
そして、制御部３２は、当該コンテンツの表示時間が終了したかどうかを判断し（１１６）、表示時間が終了すると、処理１００に移行して次のコンテンツを出力する。
【００５１】
また、処理１０６において、表示モードチェック要求に応じて表示端末４から出力された表示モード応答が「RNG」であったり、又は応答がなかった場合には、制御部３２は、処理１１８に移行して、リトライ回数をチェックし、予め設定された回数のリトライを行ったかどうかを確認する（１１８）。
【００５２】
リトライ回数が設定値に達していない場合には、制御部３２は、リトライ終了ではないとして、メモリに記憶されているリトライ回数を＋１して、処理１０４に移行し、再度表示モードチェック要求を出力する。
【００５３】
また、リトライ回数が設定値に達した場合には、制御部３２は、リトライ終了であるとして、前のコンテンツの最新の表示に対応する終了時チェックに「ＮＧ」を記憶し（１２０）、更に前のコンテンツの表示時間に「０」を記憶する（１２２）。
【００５４】
そして、制御部３２は、今回のコンテンツの最新の表示に対応する開始時チェックに「ＮＧ」を記憶し、表示時間に「０」を記憶する（１２４）。
更に、制御部３２は、表示端末４に障害が発生したとして、アラームを出力して外部に障害を報知する（１２８）。このようにして、本装置の表示制御装置３の制御部３２におけるロギング処理が行われるものである。
【００５５】
次に、本装置の表示制御装置３の制御部３２における課金計算手段について説明する。
課金計算手段は、課金を行う際又は定期的（毎月１回等）に起動され、広告表示ログテーブルに基づいて、広告主毎の広告コンテンツ表示時間を集計して表示時間の合計を算出して、更に、それに基づいて広告表示料金を算出し、課金データを生成するものである。広告表示料金は、例えば、単位時間あたりの広告表示料金に表示時間合計を乗算することで算出される。
【００５６】
ここで、課金データについて図９を用いて説明する。図９は、課金データの模式説明図である。
図９に示すように、課金データは、広告主毎に、当該広告主からの依頼広告コンテンツの名前、及びそれぞれの広告コンテンツについて、表示日時、表示時間、小計が記憶されているものである。そして、広告主毎に、複数の広告の表示時間の合計が算出されて記憶され、更には表示時間の合計に基づいて算出された課金金額が記憶されるものである。そして、広告主に対しては、この課金データが表示実績として提示されるものである。
【００５７】
次に、課金計算手段の処理について図１０を用いて説明する。図１０は、表示制御装置３の制御部３２の課金計算手段の処理を示すフローチャート図である。
図１０に示すように、課金計算手段は、例えば定期的に起動されると、広告表示ログテーブルから、広告主に応じた広告コンテンツのログデータ（表示開始時刻とそれに対応する表示時間）を読み取り（２００）、当該ログデータの表示時間が「０」かどうかを判断する（２０２）。
【００５８】
表示時間が「０」でなければ、課金計算手段は、読みとった表示開始時刻と表示時間とを課金データの表示日時及び表示時間に書き込む（２０４）。そして、課金計算手段は、当該広告主に対応する全ての広告コンテンツのログデータを読みとったかどうか（ログデータ終わりかどうか）を判断し（２０６）、終わっていなければ、次のログデータについて表示時間のチェックを行い、終わっていたら、表示時間の合計を算出し（２０８）、合計時間に基づいて課金金額を算出する（２１０）。
このようにして、表示制御装置３の制御部３２の課金計算手段の処理が行われ、一定期間の広告コンテンツの表示時間（及び料金）を広告主毎に算出するようになっている。
【００５９】
本発明の実施の形態に係るコンテンツ表示装置によれば、表示制御装置３の制御部３２が、スケジュールに従って表示端末４にコンテンツを出力した時と、当該コンテンツの表示時間が終了して次のコンテンツを出力した時に表示モードチェック要求を出力し、表示モードチェックに対する応答が２回とも正常であった場合のみ、当該コンテンツの表示が正常に行われたものとして、スケジュールに記憶されている当該コンテンツの表示時間を広告表示ログテーブルに記憶すると共に、コンテンツを出力した時又は当該コンテンツの出力を終了して次のコンテンツを出力した時の少なくとも一方が異常であった場合又は応答がなかった場合には、広告表示ログテーブルに表示時間を「０」として記憶し、広告表示ログテーブルに記憶された表示時間を合計して、当該合計時間に基づいて課金金額を算出するコンテンツ表示装置としているので、コンテンツの表示開始時と表示終了時の２回にわたって表示端末４の動作を確認して、２度とも正常であった場合のみ、つまり広告コンテンツの表示時間の間、ずっと正常な状態で表示されていた場合のみ広告表示ログテーブルに表示時間を記憶し、表示端末４に障害が発生した場合や手動でコンテンツ表示不可モードに切り替えられた場合には、広告表示ログテーブルに表示時間を記憶しないようにして、正常に広告表示を行った時間のみに基づいて課金金額の計算を行って、広告主に対して適正な課金を行うことができる効果がある。
【産業上の利用可能性】
【００６０】
本発明は、広告コンテンツを実際に表示した表示実績に基づいて適切な課金を行うことができるコンテンツ表示装置に適している。
【図面の簡単な説明】
【００６１】
【図１】本発明の実施の形態に係るコンテンツ表示装置（本装置）の構成ブロック図である。
【図２】本装置の表示端末４の構成を示す構成ブロック図である。
【図３】表示制御装置３に記憶されている表示スケジュールの模式説明図である。
【図４】表示制御装置３に記憶されている広告表示ログテーブルの模式説明図である。
【図５】本装置の表示制御装置３と表示端末４との間の動作確認のコマンドチャート図である。
【図６】表示端末４において障害が発生した場合の動作確認の例を示すコマンドチャート図である。
【図７】表示端末４からの応答が「コンテンツ表示不可モード」であった場合の例を示すコマンドチャート図である。
【図８】表示制御装置３の制御部３２におけるロギング処理を示すフローチャート図である。
【図９】課金データの模式説明図である。
【図１０】表示制御装置３の制御部３２の課金計算手段の処理を示すフローチャート図である。
【図１１】一般的なコンテンツ表示システムの概略説明図である。
【符号の説明】
【００６２】
１…コンテンツ配信装置、  ２…コンテンツ表示装置、  ３…表示制御装置、  ４…表示端末、  ５…ネットワーク、  ３１…受信部、  ３２…制御部、  ３３…記憶部、  ３４…ＲＳ２３２Ｃインタフェース、  ３５…ＲＧＢインタフェース、  ４１…ＲＳ２３２Ｃインタフェース、  ４２…ＲＧＢインタフェース、  ４３…制御部、  ４４…表示部、  ４５…入力部、  ４６…外部データ入力部
【図１】
2006085522.tif 000003
【図２】
2006085522.tif 000004
【図３】
2006085522.tif 000005
【図４】
2006085522.tif 000006
【図５】
2006085522.tif 000007
【図６】
2006085522.tif 000008
【図７】
2006085522.tif 000009
【図８】
2006085522.tif 000010
【図９】
2006085522.tif 000011
【図１０】
2006085522.tif 000012
【図１１】
2006085522.tif 000013